(57)【要約】【課題】所望の傾斜角度で固定できる褥瘡防止用支持体の提供。【解決手段】クッション１は、スポンジ３とメッシュ５を縫合して構成される。メッシュ５は、複数のボールジョイントを連結して形成されている。ボールジョイントの皿部とボール部との隙間には、可視光で固体化し、紫外線で流動化する化合物が挿入されている。クッション１は、メッシュ５を患者に合わせた形状に変更したらボールジョイントに可視光を照射して、メッシュ５の傾斜角度を固定する。そして、クッション１を患者の足などの下に挿入して支持して褥瘡を防止する。また、クッション１は、メッシュ５に紫外線を照射してボールジョイントを変形可能とし、再度所望の形状に変形し可視光を照射して形状を固定する。【選択図】  図１
2014008353.tif 000002
【特許請求の範囲】
【請求項１】
固定剤を有し立体的に形状変更自在なフレーム部材と、
前記フレーム部材を覆い前記フレーム部材の形状変更に追従して変形自在な緩衝部材と、を備え、
前記固定剤は、可視光が照射されると固体化して前記フレーム部材の形状を固定し、紫外線が照射されると流動化して前記フレーム部材を形状変更自在にする化合物であることを特徴とする褥瘡防止用支持体。
【請求項２】
前記フレーム部材は、複数のボールジョイントを連結して構成され、
前記固定剤は、前記ボールジョイントの連結部に設けられ、前記固定剤が固体化することで前記ボールジョイントの連結角度を固定することを特徴とする請求項１に記載の褥瘡防止用支持体。
【請求項３】
前記ボールジョイントの摩擦部には、前記固定剤を封入したゴム袋が挿入されていることを特徴とする請求項２に記載の褥瘡防止用支持体。
【請求項４】
前記ボールジョイントの摩擦部には、グリースが挿入されていることを特徴とする請求項２または請求項３に記載の褥瘡防止用支持体。
【請求項５】
前記フレーム部材は、弾性を有したチューブであり、
前記フレーム部材の内部には、前記固定剤が挿入され、
可視光および紫外線を前記固定剤に全体的に照射自在な導光部材と、を備えることを特徴とする請求項１に記載の褥瘡防止用支持体。
【請求項６】
前記フレーム部材は、複数の弾性薄平板で構成され、
前記固定剤は、前記複数の弾性薄平板の間に挿入されることを特徴とする請求項１に記載の褥瘡防止用支持体。
【請求項７】
前記フレーム部材は、複数の弾性薄平板を立体的に連結して構成されることを特徴とする請求項１乃至請求項６のいずれか一項に記載の褥瘡防止用支持体。
【請求項８】
前記フレーム部材は、前記固定剤を覆う部分が可視光および紫外線を透過自在な材料で構成されていることを特徴とする請求項１乃至請求項７のいずれか一項に記載の褥瘡防止用支持体。
【発明の詳細な説明】
【技術分野】
【０００１】
この発明は、褥瘡を防止するための褥瘡防止用支持体に関する。
【背景技術】
【０００２】
近年、社会の高齢化が進み、寝たきりの人の数も増加している。寝たきりになると、褥瘡を発生する可能性がある。そのため、褥瘡を防止することが求められる。そこで、例えば特許文献１のようなマットレスが用いられている。特許文献１のマットレスは、複数に分割されたそれぞれの板体にマットレスを装着し、複数の板体を蝶番で連結している。複数のマットレスは蝶番により傾斜可能である。そして、板体を持ち上げて蝶番を中心に板体およびマットレスを傾斜させて、病人を寝返りさせている。ところで、特許文献２では、光により流動化・非流動化する化合物が開示されている。特許文献２で開示されている化合物は、紫外線を照射すると流動性を有し、可視光を照射すると非流動化するものである。
【先行技術文献】
【特許文献】
【０００３】
【特許文献１】登録実用新案３０９４６０４号公報
【特許文献２】特開２０１１−２５６２９１号公報
【発明の概要】
【発明が解決しようとする課題】
【０００４】
特許文献１のマットレスは、蝶番で傾動可能であるが、所望の傾斜角度で固定できないという問題がある。病人を寝返りさせるときには、マットレスおよび板体を持ち上げる必要がある。そのため、病人が寝ている状態でマットレスを持ち上げるのに大きな力が必要である。一方、特許文献２の化合物は、接着剤としての用途が示唆されている。しかし、具体的な用途が示されていない。
【０００５】
本発明は上記の問題点に鑑みてなされたもので、本発明の目的は、所望の傾斜角度で固定できる褥瘡防止用支持体の提供にある。
【課題を解決するための手段】
【０００６】
上記の課題を解決するために、本発明の褥瘡防止用支持体は、固定剤を有し立体的に形状変更自在なフレーム部材と、前記フレーム部材を覆い前記フレーム部材の形状変更に追従して変形自在な緩衝部材と、を備え、前記固定剤は、可視光が照射されると固体化して前記フレーム部材の形状を固定し、紫外線が照射されると流動化して前記フレーム部材を形状変更自在にする化合物であることを特徴とする。これにより、所望の傾斜角度で固定できる褥瘡防止用支持体を提供できる。
【０００７】
また、本発明の前記フレーム部材は、複数のボールジョイントを連結して構成され、前記固定剤は、前記ボールジョイントの連結部に設けられ、前記固定剤が固体化することで前記ボールジョイントの連結角度を固定することを特徴とする。さらに、本発明の前記ボールジョイントの摩擦部には、前記固定剤を封入したゴム袋が挿入されていることを特徴とする。さらに、本発明の前記ボールジョイントの摩擦部には、グリースが挿入されていることを特徴とする。
【０００８】
また、本発明の前記フレーム部材は、弾性を有したチューブであり、前記フレーム部材の内部には、前記固定剤が挿入され、可視光および紫外線を前記固定剤に全体的に照射自在な導光部材と、を備えることを特徴とする。また、本発明の前記フレーム部材は、複数の弾性薄平板で構成され、前記固定剤は、前記複数の弾性薄平板の間に挿入されることを特徴とする。また、本発明の前記フレーム部材は、複数の弾性薄平板を立体的に連結して構成されることを特徴とする。また、本発明の前記フレーム部材は、前記固定剤を覆う部分が可視光および紫外線を透過自在な材料で構成されていることを特徴とする。
【発明の効果】
【０００９】
本発明は、所望の傾斜角度で固定できる褥瘡防止用支持体を提供できる。
【図面の簡単な説明】
【００１０】
【図１】本発明の実施形態に係るクッションを示す分解斜視図。
【図２】本発明の実施形態に係るボールジョイントの連結部を示す部分拡大図。
【図３】図２の部分断面図。
【図４】本発明の実施形態に係るフレーム部材の変形を示す斜視図。
【図５】本発明の変更例１に係るボールジョイントの連結部を示す部分断面図。
【図６】本発明の変更例２に係るボールジョイントの連結部を示す部分断面図。
【図７】（ａ）変更例３に係るフレーム部材を示す斜視図。（ｂ）変更例３のフレーム部材の変形を示す斜視図。
【図８】本発明の変更例４に係るフレーム部材の断面図。
【図９】本発明の変更例５に係るフレーム部材の分解斜視図。
【図１０】本発明の変更例６に係る枕の分解斜視図。
【図１１】本発明の変更例７に係るボールジョイントを示す正面図。
【図１２】本発明の変更例に係るボールジョイントを示す正面図。
【図１３】本発明の変更例に係るボールジョイントを示す正面図。
【図１４】本発明の変更例に係るボールジョイントを示す正面図。
【図１５】本発明の変更例に係るボールジョイントを示す正面図。
【発明を実施するための形態】
【００１１】
以下、本発明の実施形態に係る褥瘡防止用支持体を図に基づいて説明する。
図１には、褥瘡防止用支持体としてクッション１が示されている。クッション１は、緩衝部材としてのスポンジ３と、フレーム部材としてのメッシュ５から構成されている。スポンジ３は、寝たきりの人や病人などの患者の体に接触する部材である。スポンジ３は、人の肌に当接するため適度な弾性と通気性を備えている。そして、メッシュ５は、後述するボールジョイントを複数連結して形成されるものである。メッシュ５は、各ボールジョイントの連結角度の傾斜により、立体的に形状変更自在である。クッション１は、メッシュ５の片面をスポンジ３が覆うように糸などで縫合され使用されるものである。クッション１は、メッシュ５の形状変更に追従して変形自在である。なお、メッシュ５は、後述する固定剤としての化合物１２を有している。
【００１２】
次に、メッシュ５のボールジョイントについて詳細を説明する。
メッシュ５は、図２に示す複数のボールジョイント７が連結され形成されている。ボールジョイント７の連結部は、皿部９とボール部１１が連結されている。皿部９には、３つの腕部９Ａが連結されている。また、ボール部１１には、１つの腕部１１Ａが連結されている。皿部９は、図３に示すように内部にボール部１１の一部を収容できる凹み１９Ｂが形成されている。皿部９の凹み１９Ｂは、ボール部１１の半分以上を覆う大きさに形成されている。ボール部１１は、皿部９の凹み１９Ｂに収容されている。そして、ボール部１１は、皿部９に対し、腕部１１Ａが皿部９の開口端に当接するまでの範囲で回転自在である。本実施形態では、腕部１１Ａが図３に示す上方の腕部９Ａと一直線上に並ぶ位置を中心Ｃとし、皿部９に対し、ボール部１１は、腕部１１Ａが中心Ｃから角度Θだけ全方向に回転自在に連結されている。なお、本実施形態のボールジョイント７は、皿部９、腕部９Ａ、ボール部１１、腕部１１Ａのそれぞれが、透明なアクリル素材で形成されている。本実施形態のアクリル素材は、後述する可視光および紫外線を透過自在な材料の一例である。
【００１３】
メッシュ５は、図２および図３に示すボールジョイント７が複数連結されている。つまり、皿部９からの伸びる腕部９Ａの端部には、別の皿部９もしくは腕部１１Ａおよびボール部１１が連結されている。また、ボール部１１から伸びる腕部１１Ａの端部には、別部のボール部１１もしくは、別の皿部９から伸びる腕部９Ａが連結されている。そして、複数のボールジョイント７を連結し、図１に示すメッシュ５が形成される。各ボールジョイント７は、皿部９に対しボール部１１が回転することで腕部９Ａと腕部１１Ａとの角度を変更可能である。ボールジョイント７が連結角度を変更することで、メッシュ５が所望の形状に変形できるものである。
【００１４】
ボールジョイント７には、図２および図３に示すように、皿部９とボール部１１との間には、わずかに隙間が形成されている。皿部９とボール部１１との間の隙間には、固定剤としての化合物１２が挿入されている。化合物１２は、ボールジョイント７の皿部９とボール部１１とを接着し固定させるとともに、皿部９とボール部１１とを回転自在に潤滑するものである。化合物１２は、可視光が照射されると、固体化する性質を有している。またさらに、化合物１２は、紫外線が照射されると、液化して流動化する性質を有している。化合物１２は、固体化して皿部９とボール部１１とを接着固定させてメッシュ５の形状を固定する。そして、化合物１２は、流動化して皿部９とボール部１１とを回転自在としてメッシュ５を形状変更自在にするものである。
【００１５】
次に本実施形態のクッション１の使用法について説明する。
クッション１は、患者の褥瘡防止のため、各患者に必要な形状に変形され使用される。まず、ボールジョイント７には、ライト１５により紫外線を照射する。すると、紫外線は、透明な皿部９およびボール部１１を透過して化合物１２へと照射される。紫外線が化合物１２に照射されると、化合物１２は、流動化する。次に、クッション１のメッシュ５を患者の足や腕などのクッション１により支持が必要な部分の形状に合わせてボールジョイント７の連結角度を変更する。例えば、図１で示す平面状のメッシュ５を、図４に示すように立体的に変形させる。そして、メッシュ５にライト１５により可視光を照射する。すると、化合物１２は、固体化する。そして、ボールジョイント７の皿部９とボール部１１とが化合物１２により変形した角度を維持したまま接着固定される。メッシュ５を、患者に応じた形状に変更させたら、スポンジ３をメッシュ５に縫合してクッション１を患者の足や腕などとベッドなどの間に挿入し支持させる。
【００１６】
次に、クッション１の再変形について説明する。
褥瘡を防止するためには、患者の体勢を定期的に変更することが必要である。その都度、体勢に合わせてクッション１により患者の体を支持することが必要となる。そこで、クッション１を再度変形させる。まず、使用していたクッション１をスポンジ３とメッシュ５とに分ける。そして、メッシュ５に図４に示すようにライト１５から可視光を照射する。すると、ボールジョイント７の化合物１２は、皿部９とボール部１１とを接着固定した状態から、流動性の液状へと変化する。すると、ボールジョイント７がその連結角度を変更自在となる。そのため、メッシュ５は、再び形状変更自在となる。そこで、メッシュ５を所望の形状へと変更する。そして、再び、メッシュ５にライト１５で可視光を照射する。すると、可視光により化合物１２が固体化する。化合物１２が固体化して、皿部９とボール部１１が接着固定される。メッシュ５が形状を変更し、固定されたら、スポンジ３とともに、クッション１として再使用する。
【００１７】
本実施形態は、以下の効果を奏する。
（１）クッション１は、メッシュ５とスポンジ３で構成した。また、メッシュ５は、ボールジョイント７を複数連結し、さらに、ボールジョイント７の皿部９とボール部１１は、化合物１２により、接着固定可能に構成した。そのため、クッション１は、所望の傾斜角度に変形できるとともに、所望の形状で固定して形状を維持できる。
（２）化合物１２は、可視光を照射すると固体化しメッシュ５の形状を固定し、紫外線を照射すると流動化してメッシュ５を形状変更自在にする。そのため、ボールジョイント７の皿部９とボール部１１とを接着し固定自在であるとともに、皿部９とボール部１１とを回転自在とすることができる。そのため、メッシュ５は、一度形状を変更し固定しても、再び形状を変更することができる。
【００１８】
（３）メッシュ５は、ボールジョイント７を複数連結した。そのため、各ボールジョイント７の連結角度を変更するだけで、メッシュ５を立体的に変形することが容易である。
【００１９】
本発明は、上記実施形態に限定されるものではない。以下に本発明の変更例について記載する。
○ボールジョイント７の皿部９およびボール部１１には、溝を設けても良い。例えば、変更例１として図５に示すように、ボールジョイント１７の皿部１９には、腕部１９Ａとボール部２１を収容する内周面１９Ｂに溝部１９Ｃを設ける。さらに、ボール部２１には、腕部２１Ａとボール部２１の外周面に溝部２１Ｂを設けた。そして、皿部１９とボール部２１との間には、化合物１２を封入した透明のゴム袋２２を挿入する。これにより、化合物１２を溝部１９Ｃ、２１Ｂに挿入し固定させることで、皿部１９およびボール部２１との接着固定をより強固にできる。また、化合物１２は、ゴム袋２２に封入して用いることで、化合物１２がボールジョイント１７から漏れ出すことを防止できる。
【００２０】
○ボールジョイント７の皿部９とボール部１１との摩擦部である隙間には、潤滑剤を挿入しても良い。例えば、変更例２として図６に示すように、ボールジョイント１７の皿部１９とボール部２１との隙間にグリース２４を挿入する。そして、グリース２４には、小さい複数のゴム袋２３を混ぜる。ゴム袋２３には、化合物１２が封入されている。これにより、ボールジョイント１７の皿部１９とボール部２１との潤滑を適度に向上させ、ボールジョイント１７の連結角度を変更するのが容易となる。なお、グリース２４は、可視光および紫外線を透過可能な透明度を有していることが望ましい。
【００２１】
○フレーム部材は、メッシュ以外の構造としても良い。また、ボールジョイント７、１７以外の構造を採用しても良い。例えば、変更例３として図７（ａ）に示すように、棒状のチューブ２５をフレーム部材として用いても良い。チューブ２５の内部には、化合物１２が封入されている。チューブ２５は、化合物１２に紫外線を照射して、例えば図７（ｂ）に示すように変形させる。これにより、フレーム部材をより簡易な構造とすることができる。また、化合物１２をチューブ２５内に封入することができ、化合物１２の漏れを防止できる。
【００２２】
○クッション１は、メッシュ５もしくはチューブ２５の片面にスポンジ３を縫合する構成に限定されない。例えば、変更例４として図８に示すように、フレーム部材としてチューブ３５をカバー３３で覆う構造としても良い。変更例４のクッション３０は、カバー３３とチューブ３５で構成されている。カバー３３には、開口３３Ａを設けるとともに、内部に仕切り３３Ｂを設ける。仕切り３３Ｂにより受光口３３Ｃが形成されている。そして、カバー３３の内部に設けられるチューブ３５には、化合物１２が封入されている。さらに、チューブ３５の側面には、導光部材３７が配置されている。導光部材３７は、開口３３Ａ側に拡張部３７Ａが形成されている。そして、カバー３３の開口３３Ａにライト３９を挿入して可視光および紫外線を照射する。ライト３９の先端には、テーパ部３９Ａが形成されている。そのため、テーパ部３９Ａを開口３３Ａおよび受光口３３Ｃを押し開いて位置決めされて挿入される。そして、拡張部３７Ａに向かって可視光もしくは紫外線を照射する。導光部材３７は、拡張部３７Ａから可視光もしくは紫外線を導入し、チューブ３５に向かって可視光もしくは紫外線を照射する。導光部材３７は、光ファイバと同様の加工により、チューブ３５内の化合物１２に全体的に均等に可視光もしくは紫外線を照射自在である。これにより、チューブ３５内の化合物１２には、形状を変更するときだけ、可視光もしくは紫外線を照射することができる。
【００２３】
○フレーム部材は、ボールジョイント７やチューブ２５、３５に限定されない。例えば、変更例５として図９に示すように、フレーム部材として板状部材４１としても良い。板状部材４１は、上板４１Ａ、下板４１Ｂ、周面４１Ｃの複数の弾性薄平板で形成されている。そして、上板４１Ａと下板４１Ｂには、複数の補強部材４１Ｄが連結されている。補強部材４１Ｄは、円柱状の部材であり、上板４１Ａと下板４１Ｂとを所定間隔に保持している。そして、板状部材４１の内部には、化合物１２が挿入され封止されている。板状部材４１にライト１５により可視光および紫外線を照射して適宜形状を変更し、また、形状を固定できる。
【００２４】
○さらに、フレーム部材は、例えば変更例６として図１０に示すように、立体的な形状で形成しても良い。図１０に示すフレーム部材は、枕４２である。枕４２は、変更例５の板状部材４１と同様に複数の弾性薄平板を立体的に連結して構成されている。そして、本変更例では、円柱状の補強部材４１Ｄを薄平板状に変更した。こうして枕４２の内部を複数の空間に分割し、各空間に化合物１２を挿入し封止する。複数の弾性薄平板を立体的に連結して枕４２を構成することで、立体的形状を作るために大きな形状変更が不要である。
【００２５】
○ボールジョイント７、１７の連結構造は、実施形態および変更例２、３に限定されない。例えば、図１１に示す変更例７のように、ボールジョイント４７を形成しても良い。ボールジョイント４７は、２つの皿部４９と２つのボール部５１とを十字形状の腕部４９Ａで連結している。また、図１２に示すように、ボールジョイント５７の皿部４９とボール部５１の腕部４９Ａに接続する位置は適宜変更しても良い。さらに、図１３に示すように、ボールジョイント６７の腕部４９Ａに４つの皿部４９を接続し、図１４に示すボールジョイント６８と組み合わせて使用しても良い。ボールジョイント６８は、２つのボール部５１が腕部６８Ａの両端に設けられている。さらに、図１５に示すボールジョイント７７は、２つの皿部４９を腕部７７Ａの両端に設けている。そして、腕部７７Ａの中央に設けられた孔に腕部７７Ｂの一方の端部に設けた嵌入部７７Ｃを回転自在に挿入している。腕部７７Ｂの他方の端部には、皿部４９が設けられている。同様に、腕部７７Ａの中央の孔の嵌入部７７Ｃには、別の腕部７７Ｄの一方の端部に設けた嵌入部７７Ｅが回転自在に挿入されている。腕部７７Ｄの他方の端部には、別の皿部４９が設けられている。このように、ボールジョイント７、１７、４７、５７、６７、６８、７７と連結の形状を変更することで、フレーム部材をさまざまな形状に変更させることができる。
○また、ボールジョイント７の傾斜角度は、Θは適宜設定してよい。ここで、図３に示す傾斜角度Θは、中心Ｃから全方向に対称でなくても良い。例えば、一方向にのみ傾斜可能な角度Θを大きくしても良い。また、腕部９Ａおよび腕部１１Ａの各端部に設けられる皿部９およびボール部１１の間隔は適宜変更可能である。メッシュ５の所定箇所のみ蜜にボールジョイント７を連結しても良いし、疎にボールジョイント７を連結する部分を設けても良い。
【００２６】
○実施形態では、スポンジ３をメッシュ５の片側に縫合するものとしたが、これに限定されない。例えば、メッシュ５の両側にスポンジ３を設けても良い。また、変更例４のようにフレーム部材を覆うようにカバー状に形成してもよい。さらに、ひとつのカバーで複数のメッシュ５を覆うようにクッション１を構成しても良い。
○クッション１は、矩形としたが、これに限定されない。円形など形状は適宜変更可能である。変更例５や変更例６も同様に形状を球形や円筒形などに変更しても良い。
【００２７】
○フレーム部材には、針金、金属メッシュなどを形状補助部材として挿入しても良い。また、形状補助部材は、フレーム部材の外周面を覆うように配置しても良い。化合物１２が流動化している場合には、フレーム部材を所望の形状に維持して化合物１２を固体化させることが難しい場合がある。そのため、針金や金属メッシュなどの人の力で容易に変形させることができ、簡易的に形状を保持させる部材を形状補助部材として使用すると、よりクッション１などの変形が円滑に行える。
【００２８】
○ボールジョイント７の腕部９Ａ、１１Ａやボールジョイント１７の腕部１９Ａ、２１Ａは、透明でなくても良い。化合物１２に可視光および紫外線が照射するために少なくとも皿部９が透明であれば良い。
【符号の説明】
【００２９】
１、３０  クッション
３  スポンジ
５  メッシュ
７、１７、４７、５７、６７、６８、７７  ボールジョイント
９、１９  皿部
１９Ｂ  凹み
１９Ｃ、２１Ｂ  溝部
９Ａ、１１Ａ、６８Ａ、７７Ａ、７７Ｂ、７７Ｄ  腕部
１１、２１、５１  ボール部
１２  化合物
１５  ライト
２２  ゴム袋
２４  グリース
２５、３５  チューブ
３３  カバー
３３Ａ  開口
３３Ｂ  仕切り
３３Ｃ  受光口
３７  導光部材
３７Ａ  拡張部
３９  ライト
３９Ａ  テーパ部
４１  板状部材
４１Ａ  上板
４１Ｂ  下板
４１Ｃ  周面
４１Ｄ  補強部材
４２  枕
【図１】
2014008353.tif 000003
【図２】
2014008353.tif 000004
【図３】
2014008353.tif 000005
【図４】
2014008353.tif 000006
【図５】
2014008353.tif 000007
【図６】
2014008353.tif 000008
【図７】
2014008353.tif 000009
【図８】
2014008353.tif 000010
【図９】
2014008353.tif 000011
【図１０】
2014008353.tif 000012
【図１１】
2014008353.tif 000013
【図１２】
2014008353.tif 000014
【図１３】
2014008353.tif 000015
【図１４】
2014008353.tif 000016
【図１５】
2014008353.tif 000017